(57)【要約】【課題】材料費及びコネクタサイズを抑えた構成によって、許容電流の値を高めること。【解決手段】リセプタクルコネクタ１０は、配線基板５０に電気的に接続されており、配線基板９０に電気的に接続された相手コネクタと電気的に接続される電気コネクタであって、相手コネクタの信号端子と電気的に接続する導電性の信号端子２２と、相手コネクタの電源端子と電気的に接続する導電性の電源端子２３と、相手コネクタを配線基板に固定する固定金具と電気的に接続すると共に、リセプタクルコネクタ１０を配線基板５０に固定する導電性の固定金具１３と、信号端子２２、電源端子２３、及び固定金具１３を保持する、絶縁性のハウジング１１と、を備え、固定金具１３は、電源端子２３と別体である。【選択図】図２
2018147820.tif 000002
【特許請求の範囲】
【請求項１】
第１の基板に電気的に接続されており、第２の基板に電気的に接続された相手コネクタと電気的に接続される電気コネクタであって、
前記相手コネクタの第２信号端子と電気的に接続する導電性の第１信号端子と、
前記相手コネクタの第２電源端子と電気的に接続する導電性の第１電源端子と、
前記相手コネクタを前記第２の基板に固定する第２固定金具と電気的に接続すると共に、前記電気コネクタを前記第１の基板に固定する導電性の第１固定金具と、
前記第１信号端子、前記第１電源端子、及び前記第１固定金具を保持する、絶縁性のハウジングと、を備え、
前記第１固定金具は、前記第１電源端子と別体である、電気コネクタ。
【請求項２】
前記ハウジングは、底壁部と、該底壁部から立設して互いに対向する一対の第１側壁部と、該底壁部から立設して互いに対向すると共に前記一対の第１側壁部間に前記一対の第１側壁部とは異なる方向に延びる一対の第２側壁部と、を有し、
前記第１電源端子は、前記第１側壁部に設けられており、
前記第１固定金具は、前記第２側壁部に設けられている、請求項１記載の電気コネクタ。
【請求項３】
前記第１固定金具は、前記相手コネクタを嵌合位置へガイドするガイド部を有する、請求項１又は２記載の電気コネクタ。
【請求項４】
前記第１固定金具は、前記嵌合位置において前記第２固定金具に係合する係合部を有し、
前記係合部は、前記第２固定金具の係合箇所に収容される凸部、又は、前記第２固定金具の係合箇所を収容する凹部を有する、請求項３記載の電気コネクタ。
【請求項５】
前記係合部は、前記第２固定金具と係合した状態において、前記第２固定金具の係合箇所に向けて付勢可能に構成されている、請求項４記載の電気コネクタ。
【請求項６】
前記係合部は、互いに対向する一対の対向部を有し、
前記一対の対向部は、互いの間に前記第２固定金具の係合箇所を挟み込むようにして、それぞれ前記第２固定金具に係合する、請求項４又は５記載の電気コネクタ。
【請求項７】
前記係合部は、前記電気コネクタの長手方向において前記第２固定金具の係合箇所と対向し、前記第２固定金具に係合する、請求項４〜６のいずれか一項記載の電気コネクタ。
【請求項８】
前記係合部は、前記電気コネクタの短手方向において前記第２固定金具の係合箇所と対向し、前記第２固定金具に係合する、請求項４〜６のいずれか一項記載の電気コネクタ。
【発明の詳細な説明】
【技術分野】
【０００１】
本開示は、電気コネクタに関する。
【背景技術】
【０００２】
基板対基板接続に用いられるコネクタ装置として、一方の基板に電気的に接続された電気コネクタと、他方の基板に電気的に接続された相手コネクタとを嵌合させる構成が知られている（例えば特許文献１参照）。
【先行技術文献】
【特許文献】
【０００３】
【特許文献１】特開２０１６−０３５９４２号公報
【発明の概要】
【発明が解決しようとする課題】
【０００４】
上述したようなコネクタ装置では、使用される電子機器の高性能化に伴い許容電流の値を高めることが求められる。従来、許容電流の値を高めるための対応として、電源端子に導電率の高い金属材料を用いること、及び、電源端子の伝導面積（金属材の厚み又は幅）を大きくすること等が行われている。しかしながら、これらの対応を行った場合には、材料費が高くなること及びコネクタサイズが大きくなることが問題となる。
【０００５】
そこで、本開示は、材料費及びコネクタサイズを抑えた構成によって、許容電流の値を高めることができる電気コネクタを説明する。
【課題を解決するための手段】
【０００６】
本開示の一つの観点に係る電気コネクタは、第１の基板に電気的に接続されており、第２の基板に電気的に接続された相手コネクタと電気的に接続される電気コネクタであって、相手コネクタの第２信号端子と電気的に接続する導電性の第１信号端子と、相手コネクタの第２電源端子と電気的に接続する導電性の第１電源端子と、相手コネクタを第２の基板に固定する第２固定金具と電気的に接続すると共に、電気コネクタを第１の基板に固定する導電性の第１固定金具と、第１信号端子、第１電源端子、及び第１固定金具を保持する、絶縁性のハウジングと、を備え、第１固定金具は、第１電源端子と別体である。
【０００７】
本開示に係る電気コネクタでは、第１固定金具が、相手コネクタの第２固定金具に接触すると共に第１の基板に接触している。互いに電気的に接続される電気コネクタの固定金具同士が接触すると共に、該固定金具が基板に接触していることにより、電気コネクタ内部の熱が、固定金具を介して基板に伝導されることとなる。このことで、電気コネクタ内の温度上昇を低減することができる。更に、本開示に係る電気コネクタでは、第１固定金具が第１電源端子と別体で構成されている。このことにより、電気コネクタ内の熱を溜めやすい、第１固定金具と第１電源端子とを、互いに離間させることができ、電気コネクタ内の温度上昇をより効果的に低減することができる。このように、温度上昇を効果的に低減する構成とすることによって、導電率の高い金属材料を用いること、及び、伝導面積（金属材の厚み又は幅）を大きくすること等の対応を行うことなく、許容電流の値を高めることができる。以上より、本開示に係る電気コネクタによれば、材料費及びコネクタサイズを抑えた構成によって、許容電流の値を高めることができる。
【０００８】
ハウジングは、底壁部と、該底壁部から立設して互いに対向する一対の第１側壁部と、該底壁部から立設して互いに対向すると共に一対の第１側壁部間に一対の第１側壁部とは異なる方向に延びる一対の第２側壁部と、を有し、第１電源端子は、第１側壁部に設けられており、第１固定金具は、第２側壁部に設けられていてもよい。このような構成によれば、第１電源端子と第１固定金具とが、互いに異なる方向に延びる側壁に設けられることとなる。これにより、例えば、第１電源端子を電気コネクタの長手方向に延びる側壁に設け、第１固定金具を電気コネクタの短手方向に延びる側壁（すなわち長手方向の両端部）に設けることが可能となる。基板側からの放熱は、固定金具だけでなく電源端子からも行われるところ、第１電源端子と第１固定金具とが異なる方向に延びる側壁に設けられることにより、電気コネクタ内の様々な領域から放熱することができ、電気コネクタ内の様々な領域の温度上昇を満遍なく低減することができる。
【０００９】
第１固定金具は、相手コネクタを嵌合位置へガイドするガイド部を有していてもよい。固定金具が嵌合位置へのガイドを行うことにより、樹脂等で構成されるハウジングで嵌合位置へのガイドを行う場合と比較して、堅牢な構成により高いガイド性を保つと共に、嵌合時における電気コネクタの破損を効果的に抑制することができる。
【００１０】
第１固定金具は、嵌合位置において第２固定金具に係合する係合部を有し、係合部は、第２固定金具の係合箇所に収容される凸部、又は、第２固定金具の係合箇所を収容する凹部を有していてもよい。これにより、第１固定金具と第２固定金具とが互いに係合された状態で接触することとなり、第１固定金具と第２固定金具との接触状態を好適に維持することができる。
【００１１】
係合部は、第２固定金具と係合した状態において、第２固定金具の係合箇所に向けて付勢可能に構成されていてもよい。これにより、第１固定金具と第２固定金具とを好適に係合させることができ、第１固定金具と第２固定金具との接触状態を好適に維持することができる。
【００１２】
係合部は、互いに対向する一対の対向部を有し、一対の対向部は、互いの間に第２固定金具の係合箇所を挟み込むようにして、それぞれ第２固定金具に係合してもよい。これにより、第１固定金具と第２固定金具とを好適に係合させることができ、第１固定金具と第２固定金具との接触状態を好適に維持することができる。
【００１３】
係合部は、電気コネクタの長手方向において第２固定金具の係合箇所と対向し、第２固定金具に係合してもよい。これにより、短手方向においては第２固定金具に係合するための構成を設ける必要がなくなるため、電気コネクタを、短手方向にコンパクトな構成とすることができる。
【００１４】
係合部は、電気コネクタの短手方向において第２固定金具の係合箇所と対向し、第２固定金具に係合してもよい。これにより、長手方向においては第２固定金具に係合するための構成を設ける必要がなくなるため、電気コネクタを、長手方向にコンパクトな構成とすることができる。
【発明の効果】
【００１５】
本開示によれば、材料費及びコネクタサイズを抑えた構成によって、許容電流の値を高めることができる。
【図面の簡単な説明】
【００１６】
【図１】図１は、本発明の第１実施形態に係るコネクタ装置の斜視図である。
【図２】図２は図１のコネクタ装置に含まれるリセプタクルコネクタを示す図であり、（ａ）は配線基板に載置された状態の斜視図、（ｂ）は平面図、（ｃ）は底面図、（ｄ）は正面図、（ｅ）は側面図、（ｆ）はハウジングを除いた構成を示す斜視図である。
【図３】図３は図１のコネクタ装置に含まれるプラグを示す図であり、（ａ）は配線基板に載置された状態の斜視図、（ｂ）は平面図、（ｃ）は底面図、（ｄ）は正面図、（ｅ）は側面図、（ｆ）はハウジングを除いた構成を示す斜視図である。
【図４】図４は嵌合前のコネクタ装置を示す斜視図であり、（ａ）はリセプタクルコネクタ及びプラグコネクタの全構成を示す斜視図、（ｂ）はリセプタクルコネクタ及びプラグコネクタのハウジングを除いた構成を示す斜視図である。
【図５】図５は固定金具の係合を説明するための斜視図である。
【図６】図６は嵌合状態のコネクタ装置を示す図であり、（ａ）は斜視図、（ｂ）は正面図、（ｃ）は（ｂ）のｃ−ｃ線に沿った断面図、（ｄ）は（ｂ）のｄ−ｄ線に沿った断面図、（ｅ）は（ｂ）のｅ−ｅ線に沿った断面図である。
【図７】図７は、コネクタ装置の放熱イメージを説明するための図である。
【図８】図８は、変形例に係るコネクタ装置における固定金具の係合を説明するための斜視図である。
【発明を実施するための形態】
【００１７】
以下に説明される本開示に係る実施形態は本発明を説明するための例示であるので、本発明は以下の内容に限定されるべきではない。以下、本開示に係る実施形態について図面を参照しつつ詳細に説明する。説明において、同一要素又は同一機能を有する要素には同一の符号を付し、重複する説明を省略する。
【００１８】
（コネクタ装置の概要）
図１を参照して、コネクタ装置の概要について説明する。図１に示すように、コネクタ装置１は、リセプタクルコネクタ１０（電気コネクタ）と、該リセプタクルコネクタ１０に電気的に接続されるプラグコネクタ７０（相手コネクタ）とを備える。
【００１９】
リセプタクルコネクタ１０は、配線基板５０（第１の基板）に電気的に接続されている。プラグコネクタ７０は、配線基板５０とは異なる配線基板９０（第２の基板）（図３（ａ）参照）に電気的に接続されている。コネクタ装置１は、配線基板５０，９０同士を互いに接続する、いわゆる基板対基板接続に用いられるコネクタである。リセプタクルコネクタ１０及びプラグコネクタ７０が互いに嵌合することにより、配線基板５０の電極５０ａ（図２（ａ）参照）に接続されたリセプタクルコネクタ１０の導電端子１２（図２（ａ）参照）と、配線基板９０の電極９０ａ（図３（ａ）参照）に接続されたプラグコネクタ７０の導電端子７２（図３（ａ）参照）とが接触し、配線基板５０，９０同士が互いに電気的に接続される。すなわち、コネクタ装置１は、配線基板５０，９０を電気的且つ物理的に接続する機能を有する。
【００２０】
なお、以下の説明においては、リセプタクルコネクタ１０及びプラグコネクタ７０の嵌合方向を「Ｚ方向」、Ｚ方向に交差する方向である、リセプタクルコネクタ１０の長手方向を「Ｙ方向」、Ｚ方向及びＹ方向に交差する方向である、リセプタクルコネクタ１０の幅方向を「Ｘ方向」として説明する場合がある。
【００２１】
（リセプタクルコネクタ）
リセプタクルコネクタ１０の詳細について説明する。なお、リセプタクルコネクタ１０の説明において、Ｚ方向における、リセプタクルコネクタ１０を基準とした配線基板５０側を「下」、その反対側を「上」として説明する場合がある。リセプタクルコネクタ１０は、図２（ａ）〜（ｆ）に示すように、プラグコネクタ７０を収容可能な収容凹部Ｖを有するコネクタである。リセプタクルコネクタ１０は、絶縁性のハウジング１１と、複数の導電端子１２と、導電性の固定金具１３（第１固定金具）とを有する。
【００２２】
ハウジング１１は、複数の導電端子１２及び固定金具１３を保持する。ハウジング１１は、樹脂を含んだ絶縁材料で構成されており、所定方向に延びる略直方体形状を呈している。ハウジング１１は、底壁部１４と、側壁部１５〜１８と、中央壁部１９とを有する。
【００２３】
底壁部１４は、略矩形状を呈する板状体である。底壁部１４は、導電端子１２及び固定金具１３が設けられた領域において、導電端子１２及び固定金具１３の形状に応じた大きさの貫通孔１４ａを有する（図２（ｃ）参照）。すなわち、底壁部１４には、Ｚ方向に貫通する貫通孔１４ａが、導電端子１２及び固定金具１３の数だけ形成されている。底壁部１４に貫通孔１４ａが形成されていることにより、リセプタクルコネクタ１０を下面視すると導電端子１２及び固定金具１３が露出することとなるので（図２（ｃ）参照）、配線基板５０に設けられたリセプタクルコネクタ１０では、導電端子１２及び固定金具１３が配線基板５０の表面に設けられた電極５０ａと電気的に接続される（図２（ａ）参照）。
【００２４】
側壁部１５〜１８はそれぞれ、底壁部１４に対して直立（立設）した状態で底壁部１４上に設けられている。側壁部１５，１６は、底壁部１４から立設して互いに対向する一対の第１側壁部である。側壁部１５，１６はそれぞれ、底壁部１４の各長辺近傍に位置し当該長辺に沿ってＹ方向に延びている。側壁部１７，１８は、底壁部１４から立設して互いに対向すると共に、側壁部１５，１６間において側壁部１５，１６とは異なる方向に延びる一対の第２側壁部である。側壁部１７，１８はそれぞれ、底壁部１４の各短辺近傍に位置し当該短辺に沿ってＸ方向に延びている。
【００２５】
中央壁部１９は、底壁部１４に対して直立した状態で底壁部１４上に設けられている。中央壁部１９は、側壁部１５〜１８から離間した状態で、側壁部１５〜１８で囲まれる空間内に位置している。中央壁部１９は、底壁部１４の長辺に沿ってＹ方向に延びている。そのため、中央壁部１９は、側壁部１５，１６と対向している。底壁部１４と、側壁部１５〜１８と、中央壁部１９とで囲まれる空間によって、収容凹部Ｖが形成されている（図２（ａ）参照）。従って、収容凹部Ｖは、四角環状を呈している。収容凹部Ｖは、プラグコネクタ７０を収容する空間である。
【００２６】
導電端子１２は、板状の導電材料（例えば金属部材）により構成されており、側壁部１５に設けられている。側壁部１５には、複数の導電端子１２がその延在方向（Ｙ方向）に並んで取り付けられている。側壁部１６にも同様に複数の導電端子１２が設けられている。これらの導電端子１２の構成は互いに同じであるので、以下では、側壁部１５における導電端子１２について説明し、側壁部１６における導電端子１２の説明を省略する。導電端子１２は、信号端子２２（第１信号端子）と、電源端子２３（第１電源端子）とを有する。
【００２７】
信号端子２２は、相手コネクタであるプラグコネクタ７０の信号端子８２（第２信号端子）（図３（ａ）参照）と電気的に接続する導電性の端子である。信号端子２２は、側壁部１５におけるＹ方向における中央部分に、並んで２つ設けられている。信号端子２２は、基端部２２ａと、中間部２２ｂと、接触部２２ｃとを有する（図２（ｆ）及び図６（ｃ）参照）。基端部２２ａは、底壁部１４の近傍に位置しており、側壁部１５の下端の開口が形成された領域においてＸ方向に延びている。基端部２２ａは、リセプタクルコネクタ１０が配線基板５０に実装される際に、配線基板５０の電極５０ａ（図２（ａ）参照）と半田等によって接続される。中間部２２ｂは、基端部２２ａに連続すると共に、上方に向けて側壁部１５に沿ってＺ方向に延びている。中間部２２ｂは、側壁部１５に形成された溝１５ａ（図２（ａ）参照）に対し圧入によって固定される部分である。
【００２８】
接触部２２ｃは、中間部２２ｂに連続すると共に、収容凹部Ｖ内に位置して、プラグコネクタ７０の信号端子８２の接触部８２ｂ（図３（ｆ）参照）と接触する部分である。接触部２２ｃは、断面略Ｕ字状に形成されており（図６（ｃ）参照）、中間部２２ｂの上端に連続すると共に下方に延びる第１接点部２２ｄと、第１接点部２２ｄに連続すると共に底壁部１４の近傍において中央壁部１９に向かってＸ方向に延びる底部２２ｅと、底部２２ｅに連続すると共に中央壁部１９の近傍において上方に延び、中央壁部１９の上端近傍において第１接点部２２ｄに向けて折り返して下方に延びる第２接点部２２ｆと、を有する。図６（ｃ）に示すように、接触部２２ｃは、第１接点部２２ｄ及び第２接点部２２ｆの間に、プラグコネクタ７０の信号端子８２の接触部８２ｂ（図３（ｆ）参照）を挟み込むようにして、第１接点部２２ｄ及び第２接点部２２ｆの双方において接触部８２ｂと接触し、接触部８２ｂと電気的に接続されている。
【００２９】
電源端子２３は、相手コネクタであるプラグコネクタ７０の電源端子８３（第２電源端子）（図３（ａ）参照）と電気的に接続する導電性の端子である。電源端子２３は、側壁部１５におけるＹ方向における両端部分に設けられている。すなわち、電源端子２３は、Ｙ方向において２つの信号端子２２を挟み込むように、側壁部１５のＹ方向における両端部分に設けられている。電源端子２３は、信号端子２２よりも幅広に、すなわちＹ方向の長さが長く形成されている。電源端子２３は、基端部２３ａと、中間部２３ｂと、接触部２３ｃとを有する（図２（ｆ）及び図６（ｄ）参照）。基端部２３ａは、底壁部１４の近傍に位置しており、側壁部１５の下端の開口が形成された領域においてＸ方向に延びている。基端部２３ａは、リセプタクルコネクタ１０が配線基板に実装される際に、配線基板５０の電極５０ａ（図２（ａ）参照）と半田等によって接続される。基端部２３ａは、Ｙ方向において２つに分離して二股に分かれている。中間部２３ｂは、基端部２３ａに連続すると共に、上方に向けて側壁部１５に沿ってＺ方向に延びている。中間部２３ｂは、側壁部１５に形成された溝１５ｂ（図２（ａ）参照）に対し圧入によって固定される部分である。
【００３０】
接触部２３ｃは、中間部２３ｂに連続すると共に、収容凹部Ｖ内に位置して、プラグコネクタ７０の電源端子８３の接触部８３ｂ（図３（ｆ）参照）と接触する部分である。接触部２３ｃは、断面略Ｕ字状に形成されており（図６（ｄ）参照）、中間部２３ｂの上端に連続すると共に下方に延びる第１接点部２３ｄと、第１接点部２３ｄに連続すると共に底壁部１４の近傍において中央壁部１９に向かってＸ方向に延びる底部２３ｅと、底部２３ｅに連続すると共に中央壁部１９の近傍において上方に延び、中央壁部１９の上端近傍において第１接点部２３ｄに向けて折り返して下方に延びる第２接点部２３ｆと、を有する。第１接点部２３ｄは、Ｙ方向において２つに分離して二股に分かれている。図６（ｄ）に示すように、接触部２３ｃは、第１接点部２３ｄ及び第２接点部２３ｆの間に、プラグコネクタ７０の電源端子８３の接触部８３ｂ（図３（ｆ）参照）を挟み込むようにして第１接点部２３ｄ及び第２接点部２３ｆの双方において接触部８３ｂと接触し、接触部８３ｂと電気的に接続されている。
【００３１】
固定金具１３は、リセプタクルコネクタ１０を配線基板５０に固定する導電性の部材であり、例えば薄板状の金属部材によって構成されている。固定金具１３は、相手コネクタであるプラグコネクタ７０を配線基板９０に固定する固定金具７３（図３（ａ）参照）と接触し、該固定金具７３と電気的に接続される。固定金具１３は、ハウジング１１のＹ方向の両端部である、側壁部１７，１８に設けられている。固定金具１３は、電源端子２３と別体で設けられている。側壁部１７，１８に設けられた固定金具１３の構成は互いに同じであるので、以下では、側壁部１７に設けられた固定金具１３について説明し、側壁部１８に設けられた固定金具１３の説明を省略する。
【００３２】
固定金具１３は、図５及び図２（ｆ）に示すように、基端部１３ａと、ガイド部１３ｂと、係合部１３ｃと、連結部１３ｄとを有する。基端部１３ａは、底壁部１４の近傍に位置したＸ方向に延びる板状体である。基端部１３ａのＸ方向における両端部は、側壁部１５，１６下端の開口が形成された領域に位置している。基端部１３ａは、リセプタクルコネクタ１０が配線基板５０に実装される際に、配線基板５０の電極５０ａ（図２（ａ）参照）と半田等によって接続される。
【００３３】
ガイド部１３ｂは、相手コネクタであるプラグコネクタ７０を嵌合位置へガイドする部分である。嵌合位置とは、収容凹部Ｖにプラグコネクタ７０が収容された状態で、信号端子２２と信号端子８２、電源端子２３と電源端子８３、固定金具１３と固定金具７３がそれぞれ接触して、リセプタクルコネクタ１０とプラグコネクタとが互いに嵌合する位置である。ガイド部１３ｂは、側壁部１３ｅと、突出片１３ｆと、ガイド片１３ｇとを有する。側壁部１３ｅは、ハウジング１１の側壁部１７に沿って設けられる部分であり、側壁部１７に沿ってＺ方向に延びている。側壁部１３ｅは、基端部１３ａのＸ方向における中央部分に連続するように上方に延びている。突出片１３ｆは、側壁部１３ｅの上端からＹ方向（詳細には、反対側の側壁部１８方向）に延びる部分である。突出片１３ｆは、側壁部１３ｅの上端のうちＸ方向における両端部分に設けられている。突出片１３ｆのＹ方向への突出長さは、Ｘ方向における外側に向かうほど長くなっている。ガイド片１３ｇは、突出片１３ｆの先端に連続し、下方に延びる部分である。上述したように、突出片１３ｆはＸ方向における外側に向かうほどＹ方向への突出長さが長いので、突出片１３ｆの先端から下方に延びるガイド片１３ｇは、中央壁部１９と対向するように、Ｘ方向に対して傾斜している。このため、リセプタクルコネクタ１０とプラグコネクタ７０との嵌合時においては、ガイド片１３ｇにより、プラグコネクタ７０の固定金具７３のガイド片７３ｆにガイドされ（センタリングされ）、正しい嵌合位置で、リセプタクルコネクタ１０とプラグコネクタ７０とが嵌合する。
【００３４】
係合部１３ｃは、嵌合位置においてプラグコネクタ７０の固定金具７３（図３（ａ）参照）に係合する部分である。係合部１３ｃは、ベース部１３ｈと、突出部１３ｉとを有する。ベース部１３ｈは、基端部１３ａとＹ方向において隣り合っており、詳細には基端部１３ａにおける側壁部１３ｅと連続する側と反対側において基端部１３ａと隣り合っている。ベース部１３ｈは、基端部１３ａのＸ方向における中央部分に連続しており、Ｘ方向における両端方向に延びている。ベース部１３ｈは、Ｘ方向における中央部分からＸ方向における外側に向かうにつれて、徐々に上方に向かうものであってもよい。突出部１３ｉは、ベース部１３ｈにおけるＸ方向における両端部分に連続すると共に、上方に延びる部分である。突出部１３ｉは、Ｘ方向における内側に傾斜しながら上方に延び、上端部近傍でＸ方向における外側に折り返すように形成されている。突出部１３ｉの上端部において、Ｘ方向における外側に折り返す前の、最もＸ方向における最も内側に張り出した部分である張出部１３ｊ（凸部，対向部）は、嵌合位置においてプラグコネクタ７０の固定金具７３（図３（ａ）参照）に接触し、該固定金具７３に係合する部分である。係合部１３ｃは、そのＸ方向における両端部分において、互いに対向する一対の張出部１３ｊを有する。一対の張出部１３ｊは、互いの間に固定金具７３の係合箇所を挟み込むようにして、それぞれ固定金具７３に係合する。このように、係合部１３ｃは、リセプタクルコネクタ１０の短手方向であるＸ方向において固定金具７３の係合箇所と対向し、固定金具７３に係合する。係合部１３ｃは、固定金具７３と係合した状態において、固定金具７３との係合箇所に向けて付勢可能に構成されている。
【００３５】
連結部１３ｄは、中央壁部１９に連結される部分である。連結部１３ｄは、延伸部１３ｋと、上面部１３ｌとを有する。延伸部１３ｋは、ベース部１３ｈのＸ方向における中央部分に連続しており、上方に延びている。上面部１３ｌは、延伸部１３ｋの上端に連続しており、Ｙ方向（詳細には、反対側の側壁部１８方向）に延びている。延伸部１３ｋにおけるベース部１３ｈと隣り合う側と反対側の面、及び、上面部１３ｌの下面には、中央壁部１９が連結される（図２（ａ）参照）。
【００３６】
（プラグコネクタ）
次に、図３（ａ）〜（ｆ）を参照して、プラグコネクタ７０の詳細について説明する。プラグコネクタ７０は、リセプタクルコネクタ１０の収容凹部Ｖに収容されることによりリセプタクルコネクタ１０に嵌合されるコネクタである。プラグコネクタ７０は、絶縁性のハウジング７１と、複数の導電端子７２と、導電性の固定金具７３（第２固定金具）とを有する。
【００３７】
ハウジング７１は、複数の導電端子７２及び固定金具７３を保持する。ハウジング７１は、樹脂を含んだ絶縁材料で構成されており、所定方向に延びる略直方体形状を呈している。ハウジング７１は、底壁部７４と、側壁部７５〜７８とを有する。底壁部７４は、略矩形状を呈する板状体である。
【００３８】
側壁部７５〜７８はそれぞれ、底壁部７４に対して直立した状態で底壁部７４上に設けられている。側壁部７５〜７８は、プラグコネクタ７０がリセプタクルコネクタ１０と嵌合する際に、リセプタクルコネクタ１０の収容凹部Ｖ内に収容される。そのため、側壁部７５〜７８は、全体として凸状を呈する嵌合凸部Ｗを構成している。
【００３９】
側壁部７５，７６はそれぞれ、底壁部７４の各長辺近傍に位置し、当該長辺に沿ってＹ方向に延びている。側壁部７７，７８はそれぞれ、底壁部７４の各短辺近傍に位置し、当該短辺に沿ってＸ方向に延びている。そのため、側壁部７５，７６同士は互いに対向しており、側壁部７７，７８同士は互いに対向している。従って、嵌合凸部Ｗは、四角筒状を呈している。四角筒状を呈する嵌合凸部Ｗの内部空間には、プラグコネクタ７０がリセプタクルコネクタ１０と嵌合する際に、リセプタクルコネクタ１０の中央壁部１９が収容される。
【００４０】
導電端子７２は、板状の導電材料（例えば金属部材）により構成されており、側壁部７５に設けられている。側壁部７５には、複数の導電端子７２がその延在方向（Ｙ方向）に並んで取り付けられている。側壁部７６にも同様に複数の導電端子７２が設けられている。これらの導電端子７２の構成は互いに同じであるので、以下では側壁部７５における導電端子７２について説明し、側壁部７６における導電端子７２の説明を省略する。導電端子７２は、信号端子８２（第２信号端子）と電源端子８３（第２電源端子）とを有する。
【００４１】
信号端子８２は、リセプタクルコネクタ１０の信号端子２２（図２（ａ）参照）と電気的に接続する導電性の端子である。信号端子８２は、側壁部７５におけるＹ方向の中央部分に、並んで２つ設けられている。信号端子８２は、基端部８２ａと、接触部８２ｂとを有する（図３（ｆ）及び図６（ｃ）参照）。基端部８２ａは、底壁部７４の近傍においてＸ方向に延びている。基端部８２ａは、プラグコネクタ７０が配線基板９０に実装される際に、配線基板９０の電極９０ａ（図３（ａ）参照）と半田等によって接続される。
【００４２】
接触部８２ｂは、基端部８２ａに連続すると共に、側壁部７５を囲うように側壁部７５に沿って延び、リセプタクルコネクタ１０の接触部２２ｃ（図２（ｆ）参照）と接触する部分である。接触部８２ｂは、断面略Ｕ字状に形成されており（図６（ｃ）参照）、基端部８２ａに連続すると共に側壁部７５の内壁面に沿ってＺ方向（詳細には、基端部８２ａから離れる方向）に延びる第２接点部８２ｃと、第２接点部８２ｃに連続すると共に側壁部７５の外壁面に沿ってＺ方向（詳細には、基端部８２ａに向かう方向）に延びる第１接点部８２ｄと、を有する。第１接点部８２ｄには、側壁部７５の外壁面側に凹んだ凹部８２ｘが形成されている（図３（ｆ）参照）。また、第２接点部８２ｃには、側壁部７５の内壁面側に凹んだ凹部８２ｙが形成されている。
【００４３】
図６（ｃ）に示すように、接触部８２ｂは、リセプタクルコネクタ１０の第１接点部２２ｄ及び第２接点部２２ｆの間に挟まれるようにして、少なくとも、第１接点部８２ｄにおいてリセプタクルコネクタ１０の第１接点部２２ｄと接触すると共に、第２接点部８２ｃにおいてリセプタクルコネクタ１０の第２接点部２２ｆと接触する。より詳細には、リセプタクルコネクタ１０の第１接点部２２ｄは、プラグコネクタ７０の第１接点部８２ｄの凹部８２ｘに収容された状態で第１接点部８２ｄに接触し、第２接点部２２ｆは、第２接点部８２ｃの凹部８２ｙに収容された状態で第２接点部８２ｃに接触する。これにより、接触部８２ｂと接触部２２ｃとが互いに係合された状態で接触することとなり、接触部８２ｂと接触部２２ｃとの接触状態を好適に維持することができる。接触部８２ｂと接触部２２ｃが接触することにより、プラグコネクタ７０の信号端子８２とリセプタクルコネクタ１０の信号端子２２とが電気的に接続される。
【００４４】
電源端子８３は、リセプタクルコネクタ１０の電源端子２３（図２（ａ）参照）と電気的に接続する導電性の端子である。電源端子８３は、側壁部１５におけるＹ方向の両端部分に設けられている。すなわち、電源端子８３は、Ｙ方向において２つの信号端子８２を挟み込むように、側壁部１５のＹ方向における両端部分に設けられている。電源端子８３は、信号端子８２よりも幅広に、すなわちＹ方向の長さが長く形成されている。電源端子８３は、基端部８３ａと、接触部８３ｂとを有する（図３（ｆ）及び図６（ｄ）参照）。基端部８３ａは、底壁部７４の近傍においてＸ方向に延びている。基端部８３ａは、プラグコネクタ７０が配線基板９０に実装される際に、配線基板９０の電極９０ａ（図３（ａ）参照）と半田等によって接続される。基端部８３ａは、Ｙ方向において２つに分離して二股に分かれている。
【００４５】
接触部８３ｂは、基端部８３ａに連続すると共に、側壁部７５を囲うように側壁部７５に沿って延び、リセプタクルコネクタ１０の接触部２３ｃ（図２（ｆ）参照）と接触する部分である。接触部８３ｂは、断面略Ｕ字状に形成されており（図６（ｄ）参照）、基端部８３ａに連続すると共に側壁部７５の内壁面に沿ってＺ方向（詳細には、基端部８３ａから離れる方向）に延びる第２接点部８３ｃと、第２接点部８３ｃに連続すると共に側壁部７５の外壁面に沿ってＺ方向（詳細には、基端部８３ａに向かう方向）に延びる第１接点部８３ｄと、を有する。第１接点部８３ｄには、側壁部７５の外壁面側に凹んだ凹部８３ｘが形成されている（図３（ｆ）参照）。また、第２接点部８３ｃには、側壁部７５の内壁面側に凹んだ凹部８３ｙが形成されている。
【００４６】
図６（ｄ）に示すように、接触部８３ｂは、リセプタクルコネクタ１０の第１接点部２３ｄ及び第２接点部２３ｆの間に挟まれるようにして、少なくとも、第１接点部８３ｄにおいてリセプタクルコネクタ１０の第１接点部２３ｄと接触すると共に、第２接点部８３ｃにおいてリセプタクルコネクタ１０の第２接点部２３ｆと接触する。より詳細には、リセプタクルコネクタ１０の第１接点部２３ｄは、プラグコネクタ７０の第１接点部８３ｄの凹部８３ｘに収容された状態で第１接点部８３ｄに接触し、第２接点部２３ｆは、第２接点部８３ｃの凹部８３ｙに収容された状態で第２接点部８３ｃに接触する。これにより、接触部８３ｂと接触部２３ｃとが互いに係合された状態で接触することとなり、接触部８３ｂと接触部２３ｃとの接触状態を好適に維持することができる。接触部８３ｂと接触部２３ｃが接触することにより、プラグコネクタ７０の電源端子８３とリセプタクルコネクタ１０の電源端子２３とが電気的に接続される。
【００４７】
固定金具７３は、プラグコネクタ７０を配線基板９０に固定する導電性の部材であり、例えば薄板状の金属部材によって構成されている。固定金具７３は、リセプタクルコネクタ１０の固定金具１３と接触し該固定金具１３と電気的に接続される。固定金具７３は、ハウジング７１のＹ方向の両端部である、側壁部７７，７８に設けられている。固定金具７３は、電源端子８３と一体的に設けられている（図５参照）。側壁部７７，７８に設けられた固定金具７３の構成は互いに同じであるので、以下では、側壁部７７に設けられた固定金具７３について説明し、側壁部７８に設けられた固定金具７３の説明を省略する。
【００４８】
固定金具７３は、図５及び図３（ｆ）に示すように、基端部７３ａと、ガイド部７３ｂと、係合部７３ｃ（固定金具７３の係合箇所）とを有する。基端部７３ａは、底壁部７４の近傍においてＸ方向に延びる板状体である。基端部７３ａのＸ方向における両端部は、側壁部７５，７６が設けられた領域にまで達している。基端部７３ａは、プラグコネクタ７０が配線基板９０に実装される際に、配線基板９０の電極９０ａ（図３（ａ）参照）と半田等によって接続される。
【００４９】
ガイド部７３ｂは、リセプタクルコネクタ１０のガイド部１３ｂにガイドされることにより、プラグコネクタ７０を正しい嵌合位置にガイドする部分である。ガイド部７３ｂは、ベース部７３ｄと、側壁部７３ｅと、ガイド片７３ｆとを有する。ベース部７３ｄは、側壁部７７のＺ方向における端部（詳細には、側壁部７７における底壁部７４と反対側のＺ方向における端部）の近傍において、基端部７３ａと対向するようにＸ方向に延びる板状体である。ベース部７３ｄのＸ方向における両端部は、側壁部７５，７６が設けられた領域の近傍にまで達している。側壁部７３ｅは、ハウジング７１の側壁部７７に沿って設けられる部分であり、側壁部７７に沿ってＺ方向に延びている。側壁部７３ｅは、基端部７３ａのＸ方向における中央部分とベース部７３ｄのＸ方向における中央部分とを連結するように、Ｚ方向に延びている。ガイド片７３ｆは、ベース部７３ｄのＸ方向における両端部に連続し、Ｚ方向（詳細には、底壁部７４に近づく方向）に延びる部分である。ガイド片７３ｆは、図５に示すように、嵌合時において、リセプタクルコネクタ１０のガイド片１３ｇと対向するように設けられている。ガイド片７３ｆは、側壁部７５，７６と側壁部７７とを連結するように傾斜して設けられており、Ｙ方向における位置が、そのＸ方向における中央部分ほど側壁部７７に近づくように設けられている。
【００５０】
係合部７３ｃは、嵌合位置においてリセプタクルコネクタ１０の係合部１３ｃ（図５参照）に係合する部分である。係合部７３ｃは、電源端子８３の第１接点部８３ｄと一体的に形成されており、側壁部７５の外壁面に沿って延びている。係合部７３ｃは、側壁部７５の外壁面に沿うようにして、第１接点部８３ｄとガイド片７３ｆとを連結するように、Ｙ方向に延びている。係合部７３ｃには、側壁部７５の外壁面側に凹んだ凹部７３ｇが形成されている。係合部７３ｃの凹部７３ｇは、リセプタクルコネクタ１０の係合部１３ｃを収容する。これにより、係合部７３ｃとリセプタクルコネクタ１０の係合部１３ｃとが係合する。
【００５１】
（リセプタクルコネクタ及びプラグコネクタの嵌合状態）
次に、図４（ａ）及び（ｂ）、図５、並びに図６（ａ）〜（ｄ）を参照して、リセプタクルコネクタ１０及びプラグコネクタ７０の嵌合状態について説明する。
【００５２】
図４（ａ）及び（ｂ）、並びに図６（ａ）に示すように、プラグコネクタ７０がリセプタクルコネクタ１０と嵌合する際には、互いが対向した状態で配置され、リセプタクルコネクタ１０の収容凹部Ｖに、プラグコネクタ７０の側壁部７５〜７８から構成される嵌合凸部Ｗが収容される。当該嵌合時において、四角筒状を呈する嵌合凸部Ｗの内部空間に、リセプタクルコネクタ１０の中央壁部１９が収容される。
【００５３】
プラグコネクタ７０がリセプタクルコネクタ１０と嵌合した状態においては、図６（ｃ）に示すように、プラグコネクタ７０の信号端子８２がリセプタクルコネクタ１０の信号端子２２に挟まれるように配置されており、プラグコネクタ７０の第１接点部８２ｄがリセプタクルコネクタ１０の第１接点部２２ｄに接触すると共に、第２接点部８２ｃがリセプタクルコネクタ１０の第２接点部２２ｆに接触する。端子の接触状態においては、第１接点部８２ｄの凹部８２ｘ（図３（ｆ）参照）に第１接点部２２ｄが収容（係合）されており、第２接点部８２ｃの凹部８２ｙ（図３（ｆ）参照）に第２接点部２２ｆが収容（係合）されている。
【００５４】
プラグコネクタ７０がリセプタクルコネクタ１０と嵌合した状態においては、図６（ｄ）に示すように、プラグコネクタ７０の電源端子８３がリセプタクルコネクタ１０の電源端子２３に挟まれるように配置されており、プラグコネクタ７０の第１接点部８３ｄがリセプタクルコネクタ１０の第１接点部２３ｄに接触すると共に、第２接点部８３ｃがリセプタクルコネクタ１０の第２接点部２３ｆに接触する。端子の接触状態においては、第１接点部８３ｄの凹部８３ｘ（図３（ｆ）参照）に第１接点部２３ｄが収容（係合）されており、第２接点部８３ｃの凹部８３ｙ（図３（ｆ）参照）に第２接点部２３ｆが収容（係合）されている。
【００５５】
プラグコネクタ７０がリセプタクルコネクタ１０と嵌合した状態においては、図６（ｅ）に示すように、プラグコネクタ７０の固定金具７３の係合部７３ｃがリセプタクルコネクタ１０の係合部１３ｃ（詳細には、張出部１３ｊ）に接触する。固定金具同士の接触状態においては、係合部７３ｃの凹部７３ｇ（図５参照）に張出部１３ｊが収容されている。これにより、係合部７３ｃと係合部１３ｃとが係合する。
【００５６】
（作用効果）
次に、上述したリセプタクルコネクタ１０の作用効果について説明する。
【００５７】
リセプタクルコネクタ１０は、配線基板５０に電気的に接続されており、配線基板９０に電気的に接続された相手コネクタであるプラグコネクタ７０と電気的に接続される電気コネクタであって、プラグコネクタ７０の信号端子８２と電気的に接続する導電性の信号端子２２と、プラグコネクタ７０の電源端子８３と電気的に接続する導電性の電源端子２３と、プラグコネクタ７０を配線基板９０に固定する固定金具７３と電気的に接続すると共に、リセプタクルコネクタ１０を配線基板５０に固定する導電性の固定金具１３と、信号端子２２、電源端子２３、及び固定金具１３を保持する、絶縁性のハウジング１１と、を備え、固定金具１３は、電源端子２３と別体である。
【００５８】
このようなリセプタクルコネクタ１０では、固定金具１３が、プラグコネクタ７０の固定金具７３に接触すると共に配線基板５０に接触している。互いに電気的に接続される電気コネクタの固定金具同士が接触すると共に、該固定金具が配線基板に接触していることにより、電気コネクタ内部の熱が、固定金具を介して配線基板に伝導されることとなる。例えば図７に示すように、リセプタクルコネクタ１０の固定金具１３がプラグコネクタ７０の固定金具７３に接触することにより、当該固定金具１３，７３の接触箇所が、発熱箇所ＨＰとなる。そして、当該発熱箇所ＨＰの熱が、固定金具１３，７３を介して配線基板５０，９０に伝導し放熱される。このことで、電気コネクタ内の温度上昇を低減することができる。更に、リセプタクルコネクタ１０では、固定金具１３が電源端子２３と別体で構成されている。このことにより、電気コネクタ内の熱を溜めやすい、固定金具１３と電源端子２３とを、互いに離間させることができ、電気コネクタ内の温度上昇をより効果的に低減することができる。このように、温度上昇を効果的に低減する構成とすることによって、導電率の高い金属材料を用いること、及び、伝導面積（金属材の厚み又は幅）を大きくすること等の対応を行うことなく、許容電流の値を高めることができる。以上より、リセプタクルコネクタ１０によれば、材料費及びコネクタサイズを抑えた構成によって、許容電流の値を高めることができる。
【００５９】
ハウジング１１は、底壁部１４と、該底壁部１４から立設して互いに対向する一対の側壁部１５，１６と、該底壁部１４から立設して互いに対向すると共に側壁部１５，１６間に側壁部１５、１６とは異なる方向に延びる一対の側壁部１７，１８と、を有し、電源端子２３は、側壁部１５，１６に設けられており、固定金具１３は、側壁部１７，１８に設けられている。このような構成によれば、電源端子２３と固定金具１３とが、互いに異なる方向に延びる側壁に設けられることとなる。配線基板５０，９０からの放熱は、固定金具１３だけでなく電源端子２３からも行われるところ、電源端子２３と固定金具１３とが異なる方向に延びる側壁に設けられることにより、電気コネクタ内の様々な領域から放熱することができ、電気コネクタ内の様々な領域の温度上昇を満遍なく低減することができる。
【００６０】
固定金具１３は、プラグコネクタ７０を嵌合位置へガイドするガイド部１３ｂを有する。固定金具１３が嵌合位置へのガイドを行うことにより、樹脂等で構成されるハウジング１１で嵌合位置へのガイドを行う場合と比較して、堅牢な構成により高いガイド性を保つと共に、嵌合時における電気コネクタの破損を効果的に抑制することができる。
【００６１】
固定金具１３は、嵌合位置において固定金具７３に係合する係合部１３ｃを有し、係合部１３ｃは、固定金具７３の係合箇所に収容される張出部１３ｊを有する。これにより、固定金具１３と固定金具７３とが互いに係合された状態で接触することとなり、固定金具１３と固定金具７３との接触状態を好適に維持することができる。
【００６２】
係合部１３ｃは、固定金具７３と係合した状態において、固定金具７３の係合箇所に向けて付勢可能に構成されている。これにより、固定金具１３と固定金具７３とを好適に係合させることができ、固定金具１３と固定金具７３との接触状態を好適に維持することができる。
【００６３】
係合部１３ｃは、互いに対向する一対の張出部１３ｊを有し、一対の張出部１３ｊは、互いの間に固定金具７３の係合箇所を挟み込むようにして、それぞれ固定金具７３に係合する。これにより、固定金具１３と固定金具７３とを好適に係合させることができ、固定金具１３と固定金具７３との接触状態を好適に維持することができる。
【００６４】
係合部１３ｃは、リセプタクルコネクタ１０の短手方向であるＸ方向において固定金具７３の係合箇所と対向し、固定金具７３に係合する。これにより、長手方向においては固定金具７３に係合するための構成を設ける必要がなくなるため、リセプタクルコネクタ１０を、長手方向にコンパクトな構成とすることができる。
【００６５】
（変形例）
以上、本開示に係る実施形態について説明したが、本発明の要旨の範囲内で種々の変形を上記の実施形態に加えてもよい。例えば、リセプタクルコネクタ１０の固定金具１３の係合部１３ｃが短手方向であるＸ方向において固定金具７３の係合箇所と対向するとして説明したがこれに限定されない。例えば、図８に示すように、リセプタクルコネクタの固定金具１１３の係合部１１３ｃは、長手方向であるＹ方向において、プラグコネクタの固定金具１７３の係合部１７３ｃと対向し、該係合部１７３ｃと係合するものであってもよい。この場合において、係合部１１３ｃの張出部１１３ｊは、係合部１７３ｃの凹部１７３ｇに収容されるものであってもよい。
【００６６】
また、リセプタクルコネクタ１０の固定金具１３の係合部１３ｃが凸部である張出部１３ｊを有していると説明したがこれに限定されず、リセプタクルコネクタの固定金具の係合部が、プラグコネクタの係合部を収容する凹部であってもよい。すなわち、リセプタクルコネクタ及びプラグコネクタの固定金具の係合部は、いずれか一方が凸部で他方が凹部であればよい。
【符号の説明】
【００６７】
１０…リセプタクルコネクタ（電気コネクタ）、１１…ハウジング、１３，１１３…固定金具（第１固定金具）、１３ｂ…ガイド部、１３ｃ，１１３ｃ…係合部、１３ｊ，１１３ｊ…張出部（凸部，対向部）、１４…底壁部、１５，１６…側壁部（第１側壁部）、１７，１８…側壁部（第２側壁部）、２２…信号端子（第１信号端子）、２３…電源端子（第１電源端子）、５０…配線基板（第１の基板）、７０…プラグコネクタ（相手コネクタ）、７３，１７３…固定金具（第２固定金具）、８２…信号端子（第２信号端子）、８３…電源端子（第２電源端子）、９０…配線基板（第２の基板）。
【図１】
2018147820.tif 000003
【図２】
2018147820.tif 000004
【図３】
2018147820.tif 000005
【図４】
2018147820.tif 000006
【図５】
2018147820.tif 000007
【図６】
2018147820.tif 000008
【図７】
2018147820.tif 000009
【図８】
2018147820.tif 000010